(57)【特許請求の範囲】
【請求項１】
空調機と、
前記空調機との間で通信を行う設備管理装置と、
前記空調機および前記設備管理装置と接続するサーバと、
を備え、
前記設備管理装置は、通信コマンドの種別を判別可能な識別情報を含む通信コマンドを前記空調機へ送信し、
前記空調機は、前記設備管理装置から受信した通信コマンドの種別を前記識別情報の数値により判別し、判別した前記通信コマンドの種別から前記通信コマンドに対する応答である応答コマンドの送信先を前記設備管理装置または前記サーバに決定する、
空調管理システム。
【請求項２】
前記設備管理装置は、前記応答コマンドを前記空調機または前記サーバから受信する、
請求項１に記載の空調管理システム。
【請求項３】
前記サーバは、前記空調機から受信した前記応答コマンドの内容を監視する、
請求項１または２に記載の空調管理システム。
【請求項４】
前記空調機は、
前記設備管理装置から受信した前記通信コマンドが前記空調機を制御するための制御用コマンドの場合は前記制御用コマンドに対する応答コマンドを前記設備管理装置に送信し、前記通信コマンドが前記空調機をメンテナンスするためのメンテナンス用コマンドの場合は前記メンテナンス用コマンドに対する応答コマンドを前記サーバに送信する応答部と、
前記通信コマンドの種別を示す識別情報と前記応答コマンドの送信先との関係情報を記憶する記憶部と、
を備える請求項１に記載の空調管理システム。
【請求項５】
前記設備管理装置は、前記制御用コマンドに対する応答コマンドを前記空調機から受信し、前記メンテナンス用コマンドに対する応答コマンドを前記サーバから受信する、
請求項４に記載の空調管理システム。
【請求項６】
前記サーバは、前記空調機から受信した、前記メンテナンス用コマンドに対する応答コマンドの内容を監視する、
請求項４または５に記載の空調管理システム。
【請求項７】
前記応答部は、前記識別情報の数値により、受信した通信コマンドの種別を判別する、
請求項４から６のいずれか１つに記載の空調管理システム。
【請求項８】
空調機と、前記空調機との間で通信を行う設備管理装置と、前記空調機および前記設備管理装置と接続するサーバと、を備える空調管理システムにおける前記空調機であって、
前記設備管理装置が通信コマンドの種別を判別可能な識別情報を含む通信コマンドを前記空調機へ送信する場合に、
前記設備管理装置から受信した前記通信コマンドが前記空調機を制御するための制御用コマンドの場合は前記制御用コマンドに対する応答コマンドを前記設備管理装置に送信し、前記通信コマンドが前記空調機をメンテナンスするためのメンテナンス用コマンドの場合は前記メンテナンス用コマンドに対する応答コマンドを前記サーバに送信する応答部と、
前記通信コマンドの種別を示す識別情報と前記応答コマンドの送信先との関係情報を記憶する記憶部と、
を備える空調機。
【請求項９】
前記応答部は、前記識別情報の数値により、受信した通信コマンドの種別を判別する、
請求項８に記載の空調機。
【発明の詳細な説明】
【技術分野】
【０００１】
本発明は、空調機を管理および監視する空調管理システムおよび空調機に関する。
【背景技術】
【０００２】
特許文献１には、通信量の制約がある場合であっても、管理対象デバイスに対して通信が必要なサービスを効率良く提供する技術が開示されている。特許文献１では、管理装置が、管理対象のデバイス毎に通信に使用する通信方式および通信データ量を管理する。具体的に、管理装置は、通信方式毎に、該当通信方式を使用するデバイスの台数およびデバイス１台当たりの通信許容量に応じた通信許容量を設定する。管理装置は、デバイスに対する通信を伴うサービスの提供可否を、該当サービスの提供に要する通信データ量、該当デバイスが使用する通信方式での通信許容量、および該当通信方式を使用する各デバイスの通信データ量の合計値に基づいて判断する。
【先行技術文献】
【特許文献】
【０００３】
【特許文献１】特開２０１５−６２１１４号公報
【発明の概要】
【発明が解決しようとする課題】
【０００４】
しかしながら、上記従来の技術によれば、デバイスでは、優先されるべき通信が行われない可能性がある、という問題があった。
【０００５】
本発明は、上記に鑑みてなされたものであって、空調機との間で複数の異なる優先度の通信を行う設備管理装置の処理効率を向上可能な空調管理システムを得ることを目的とする。
【課題を解決するための手段】
【０００６】
上述した課題を解決し、目的を達成するために、本発明に係る空調管理システムは、空調機と、空調機との間で通信を行う設備管理装置と、空調機および設備管理装置と接続するサーバと、を備える。設備管理装置は、通信コマンドの種別を判別可能な識別情報を含む通信コマンドを空調機へ送信する。空調機は、設備管理装置から受信した通信コマンドの種別を識別情報の数値により判別し、判別した通信コマンドの種別から通信コマンドに対する応答である応答コマンドの送信先を設備管理装置またはサーバに決定する。
【発明の効果】
【０００７】
本発明によれば、空調機との間で複数の異なる優先度の通信を行う設備管理装置の通信処理の負荷を低減して処理効率を向上できる、という効果を奏する。
【図面の簡単な説明】
【０００８】
【図１】空調管理システムの構成例を示す図
【図２】空調機の構成例を示す図
【図３】空調管理システムの動作を示すフローチャート
【図４】空調機の動作を示すフローチャート
【図５】サーバの動作を示すフローチャート
【図６】設備管理装置の動作を示すフローチャート
【発明を実施するための形態】
【０００９】
以下に、本発明の実施の形態に係る空調管理システムおよび空調機を図面に基づいて詳細に説明する。なお、この実施の形態によりこの発明が限定されるものではない。
【００１０】
実施の形態．
図１は、本発明の実施の形態に係る空調管理システム５の構成例を示す図である。空調管理システム５は、空気調和機１と、空気調和機１の制御および保守を行う設備管理装置２と、空気調和機１および設備管理装置２と接続するサーバ３と、を備える。以降の説明において、空気調和機１を空調機１と称することがある。空調機１、設備管理装置２、およびサーバ３は、ネットワーク４を経由して接続している。ネットワーク４は、例えば、有線ＬＡＮ（Local  Area  Network）、または無線ＬＡＮなどであり、一部を有線通信で残りを無線通信としてもよい。
【００１１】
空調機１は、空調制御を行う装置であり、ネットワーク４経由で設備管理装置２およびサーバ３と接続する。空調管理システム５において、空調機１は１台であっても複数台であってもよい。図２は、本実施の形態に係る空調機１の構成例を示す図である。空調機１は、ネットワーク４経由で設備管理装置２およびサーバ３と接続して通信を行う通信インターフェース１１と、空調制御、および設備管理装置２から受信した通信コマンドに対する応答コマンドの送信を制御する制御部１２と、制御部１２の制御に必要な情報を記憶する記憶部１５と、を備える。また、制御部１２は、空調機管理部１３と、応答部１４と、を備える。
【００１２】
空調機管理部１３は、空調機１の現在の空調制御状態、およびユーザが図示しない空調機リモコンから設定した空調機１の設定内容を管理する。
【００１３】
応答部１４は、空調機１において優先されるべき通信の種別を、設備管理装置２から受信した通信コマンドの識別情報から判別する。また、応答部１４は、判別結果から、設備管理装置２から受信した通信コマンドの応答のコマンドである応答コマンドの送信先を、設備管理装置２またはサーバ３にするかを決定し、応答コマンドを送信する。
【００１４】
ここで、設備管理装置２から空調機１に送信される通信コマンドの種別には、空調機１を制御するための制御用コマンド、および、空調機１をメンテナンスするためのメンテナンス用コマンドの２つがある。
【００１５】
制御用コマンドは、上述したように、空調機１を制御するための通信コマンドである。そのため、空調機１では、設備管理装置２から制御用コマンドを受信すると、設備管理装置２に対して応答コマンドを即時に送信する即時性が求められる。
【００１６】
一方、メンテナンス用コマンドは、応答の即時性が必要ではなく、また通信コマンドのサイズも大きい。そのため、空調機１では、設備管理装置２からメンテナンス用コマンドを受信すると、メンテナンス用コマンドに対する応答コマンドをサーバ３に送信する。設備管理装置２は、通信処理の負荷が少なくなった時間帯、例えば夜間などに、サーバ３からの転送によって応答コマンドを受信する。この場合、サーバ３が、設備管理装置２の通信処理の負荷が少ない時間帯として設定された時刻に、空調機１から受信した応答コマンドを設備管理装置２へ転送してもよい。または、設備管理装置２が、自装置の通信処理の負荷が少ない時間帯にサーバ３に応答コマンドの転送を指示し、設備管理装置２から転送指示を受けたサーバ３が、空調機１から受信した応答コマンドを設備管理装置２へ転送してもよい。
【００１７】
記憶部１５は、空調機管理部１３の管理する空調機１の空調制御状態などの空調機１の状態を示す情報である空調機情報１６を記憶する。また、記憶部１５は、空調機管理部１３が空調機リモコンから取得した空調機１への設定内容を示す情報である操作情報１７を記憶する。また、記憶部１５は、応答部１４が通信コマンドの判別に使用する情報、具体的には、通信コマンドの種別を示す識別情報と応答コマンドの送信先との関係を示す関係情報１８を記憶する。
【００１８】
関係情報１８の内容は、通信コマンドの識別情報が制御用コマンドを示す識別情報の場合は応答コマンドの送信先を設備管理装置２とし、通信コマンドの識別情報がメンテナンス用コマンドを示す識別情報の場合は応答コマンドの送信先をサーバ３とするものである。識別情報は、例えば、通信コマンドのフレーム構成のヘッダ部分において、通信コマンドの種別を示す領域の識別情報の数値で識別可能な情報である。応答部１４は、識別情報の数値により、受信した通信コマンドの種別を判別することができる。記憶部１５は、空調機情報１６、操作情報１７、および関係情報１８の各情報を同一のメモリで記憶してもよいし、異なるメモリで記憶してもよい。また、記憶部１５は、１つのメモリで構成されてもよいし、複数のメモリで構成されてもよい。
【００１９】
設備管理装置２は、空調機１およびサーバ３と接続する。設備管理装置２は、空調機１の制御および保守を行う装置である。設備管理装置２は、通信コマンドの種別を判別可能な識別情報を含む通信コマンドを空調機１へ送信し、応答コマンドを空調機１またはサーバ３から受信する。具体的に、設備管理装置２は、制御用コマンドに対する応答コマンドを空調機１から受信し、メンテナンス用コマンドに対する応答コマンドをサーバ３から受信する。
【００２０】
サーバ３は、空調機１および設備管理装置２と接続する。サーバ３は、空調機１が設置された建物と同一建物内に設置されたローカルサーバであってもよいし、空調機１が設置された建物の外部に設置された外部サーバであってもよい。サーバ３は、空調機１から受信した、メンテナンス用コマンドに対する応答コマンドの内容を監視する機能を有していてもよい。なお、サーバ３は、図１では１台としているが、複数台であってもよい。
【００２１】
つづいて、空調管理システム５の動作について説明する。図３は、本実施の形態に係る空調管理システム５の動作を示すフローチャートである。
【００２２】
設備管理装置２は、空調機１に通信コマンドを送信する（ステップＳ１１）。設備管理装置２が空調機１に送信した通信コマンドが制御用コマンドの場合（ステップＳ１１：制御用コマンド）、空調機１は、制御用コマンドを受信する（ステップＳ１２）。空調機１では、応答部１４が、記憶部１５の関係情報１８を参照し、受信した通信コマンドの識別情報が制御用コマンドを示す識別情報であることから、制御用コマンドに対する応答コマンドを設備管理装置２に送信する（ステップＳ１３）。設備管理装置２は、空調機１からの応答コマンドを空調機１から直接受信する（ステップＳ１４）。
【００２３】
設備管理装置２が空調機１に送信した通信コマンドがメンテナンス用コマンドの場合（ステップＳ１１：メンテナンス用コマンド）、空調機１は、メンテナンス用コマンドを受信する（ステップＳ１５）。空調機１では、応答部１４が、記憶部１５の関係情報１８を参照し、受信した通信コマンドの識別情報がメンテナンス用コマンドを示す識別情報であることから、メンテナンス用コマンドに対する応答コマンドをサーバ３に送信する（ステップＳ１６）。サーバ３は、空調機１から応答コマンドを受信する（ステップＳ１７）。サーバ３は、設定された時刻になると、または設備管理装置２からの指示により、空調機１から受信した応答コマンドを設備管理装置２へ転送する（ステップＳ１８）。設備管理装置２は、空調機１からの応答コマンドをサーバ３から受信する（ステップＳ１４）。
【００２４】
図４は、本実施の形態に係る空調管理システム５の空調機１の動作を示すフローチャートである。
【００２５】
空調機１では、設備管理装置２から通信コマンドを受信すると、応答部１４が、記憶部１５の関係情報１８を参照し、受信した通信コマンドの種別を判定する（ステップＳ２１）。設備管理装置２から受信した通信コマンドが制御用コマンドの場合（ステップＳ２１：制御用コマンド）、空調機１では、応答部１４が、記憶部１５の関係情報１８を参照し、受信した通信コマンドの識別情報が制御用コマンドを示す識別情報であることから、制御用コマンドに対する応答コマンドを設備管理装置２に送信する（ステップＳ２２）。
【００２６】
設備管理装置２から受信した通信コマンドがメンテナンス用コマンドの場合（ステップＳ２１：メンテナンス用コマンド）、空調機１では、応答部１４が、記憶部１５の関係情報１８を参照し、受信した通信コマンドの識別情報がメンテナンス用コマンドを示す識別情報であることから、メンテナンス用コマンドに対する応答コマンドをサーバ３に送信する（ステップＳ２３）。
【００２７】
図５は、本実施の形態に係る空調管理システム５のサーバ３の動作を示すフローチャートである。
【００２８】
サーバ３は、空調機１から応答コマンドを受信する（ステップＳ３１）。サーバ３は、設定された時刻になると、または設備管理装置２からの指示により、空調機１から受信した応答コマンドを設備管理装置２へ転送する（ステップＳ３２）。
【００２９】
図６は、本実施の形態に係る空調管理システム５の設備管理装置２の動作を示すフローチャートである。
【００３０】
設備管理装置２は、空調機１に通信コマンドを送信する（ステップＳ４１）。設備管理装置２が空調機１に送信した通信コマンドが制御用コマンドの場合（ステップＳ４１：制御用コマンド）、設備管理装置２は、空調機１からの応答コマンドを空調機１から直接受信する（ステップＳ４２）。
【００３１】
設備管理装置２が空調機１に送信した通信コマンドがメンテナンス用コマンドの場合（ステップＳ４１：メンテナンス用コマンド）、設備管理装置２は、空調機１からの応答コマンドをサーバ３から受信する（ステップＳ４３）。
【００３２】
つづいて、空調機１のハードウェア構成について説明する。空調機１において、通信インターフェース１１は、ネットワーク４において通信コマンドを送受信する通信機により実現される。制御部１２および記憶部１５は、処理回路により実現される。すなわち、空調機１は、通信コマンドの種別を判別し、通信コマンドの種別によって応答コマンドの送信先を決定するための処理回路を備える。処理回路は、メモリに格納されるプログラムを実行するＣＰＵ（Central  Processing  Unit）およびメモリであってもよいし、専用のハードウェアであってもよい。
【００３３】
処理回路がＣＰＵおよびメモリで構成される場合、制御部１２および記憶部１５の各機能は、ソフトウェア、ファームウェア、またはソフトウェアとファームウェアとの組み合わせにより実現される。ソフトウェアまたはファームウェアはプログラムとして記述され、メモリに格納される。処理回路では、メモリに記憶されたプログラムをＣＰＵが読み出して実行することにより、各機能を実現する。すなわち、空調機１は、制御部１２および記憶部１５が処理回路により実行されるときに、通信コマンドの種別を判別するステップ、通信コマンドの種別によって応答コマンドの送信先を決定するステップが結果的に実行されることになるプログラムを格納するためのメモリを備える。また、これらのプログラムは、空調機１の手順および方法をコンピュータに実行させるものであるともいえる。ここで、ＣＰＵは、処理装置、演算装置、マイクロプロセッサ、マイクロコンピュータ、プロセッサ、またはＤＳＰ（Digital  Signal  Processor）などであってもよい。また、メモリとは、例えば、ＲＡＭ（Random  Access  Memory）、ＲＯＭ（Read  Only  Memory）、フラッシュメモリ、ＥＰＲＯＭ（Erasable  Programmable  ＲＯＭ）、ＥＥＰＲＯＭ（Electrically  ＥＰＲＯＭ）などの、不揮発性または揮発性の半導体メモリ、磁気ディスク、フレキシブルディスク、光ディスク、コンパクトディスク、ミニディスク、またはＤＶＤ（Digital  Versatile  Disc）などが該当する。記憶部１５は、処理回路を実現するメモリにより構成されてもよい。
【００３４】
処理回路が専用のハードウェアである場合、処理回路は、例えば、単一回路、複合回路、プログラム化したプロセッサ、並列プログラム化したプロセッサ、ＡＳＩＣ（Application  Specific  Integrated  Circuit）、ＦＰＧＡ（Field  Programmable  Gate  Array）、またはこれらを組み合わせたものが該当する。制御部１２および記憶部１５の各機能を機能別に処理回路で実現してもよいし、各機能をまとめて処理回路で実現してもよい。
【００３５】
なお、制御部１２および記憶部１５の各機能について、一部を専用のハードウェアで実現し、一部をソフトウェアまたはファームウェアで実現するようにしてもよい。このように、処理回路は、専用のハードウェア、ソフトウェア、ファームウェア、またはこれらの組み合わせによって、上述の各機能を実現することができる。
【００３６】
以上説明したように、本実施の形態によれば、空調管理システムにおいて、空調機１は、設備管理装置２から受信した通信コマンドの識別情報から、通信コマンドの種別を判別し、通信コマンドの種別によって応答コマンドの送信先を決定して応答コマンドを送信する。具体的に、空調機１は、即時性が求められる制御用コマンドの応答コマンドは設備管理装置２へ送信し、応答の即時性が必要ではなく、また通信コマンドのサイズも大きいメンテナンス用コマンドの応答コマンドはサーバ３へ送信する。設備管理装置２は、サーバ３からの転送によって、メンテナンス用コマンドの応答コマンドを受信する。これにより、設備管理装置２の通信処理の処理効率を向上させることができる。
【００３７】
また、サーバ３が空調機１の設置されている建物外にある場合には、サーバ３で受信された応答コマンドを監視することで、空調機１を遠隔監視することが可能となる。
【００３８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３９】
１  空気調和機、２  設備管理装置、３  サーバ、４  ネットワーク、５  空調管理システム、１１  通信インターフェース、１２  制御部、１３  空調機管理部、１４  応答部、１５  記憶部。
【図１】
0006727007.tif 000002
【図２】
0006727007.tif 000003
【図３】
0006727007.tif 000004
【図４】
0006727007.tif 000005
【図５】
0006727007.tif 000006
【図６】
0006727007.tif 000007